(57)【要約】【課題】  フライライン等の釣り糸の性質、重さ等を視認できるようにして、釣り糸の取替えを速やかに行うことができるようにし、また、フライラインにリーダー又はフライラインを強固に接続できると共に、接続された釣り糸の性質等を視認できるようにする。【解決手段】  フライライン１等の釣り糸の先端部外周に柔軟性を有する熱収縮性チューブ２を挿着し、該チューブの外周面にはフライライン等の釣り糸の性質等を表示４してある。該チューブ２の挿着部外周に透明の熱収縮性を有する保護チューブ３を被着する場合もある。  また、中空のブレイデッドライン11の両端部内側に、フライライン12及びフライライン又はリーダー13の先端部を夫々挿着すると共に、ブレイデッドラインの挿着部外周には、外周面にフライラインの性質等を表示16してある熱収縮性チューブ14を被着するようにした。該チューブ14の挿着部外周に透明の熱収縮性を有する保護チューブ15を被着する場合もある。【選択図】  図１
2006325439.tif 000002
【特許請求の範囲】
【請求項１】
フライライン、リーダー等の釣り糸の先端部外周に、柔軟性を有する熱収縮性チューブを挿着すると共に、前記熱収縮性チューブの外周面には、フライライン、リーダー等の釣り糸の性質、重さ等を表記してあることを特徴とするフライフィッシング用釣り糸。
【請求項２】
フライライン、リーダー等の釣り糸の先端部にループを形成し、該ループの基部に柔軟性を有する熱収縮性チューブを挿着すると共に、前記熱収縮性チューブの外周面には、フライライン、リーダー等の釣り糸の性質、重さ等を表記してあることを特徴とするフライフィッシング用釣り糸。
【請求項３】
前記熱収縮性チューブの挿着部外周には、透明の熱収縮性を有する保護チューブを被着してなる請求項１又は２記載のフライフィッシング用釣り糸。
【請求項４】
フライフィッシングの釣り糸の接続方法であって、編み糸から成る中空のブレイデッドラインの両端部内側に、一対のフライラインの先端部を夫々所要深さ挿着すると共に、前記ブレイデッドラインの挿着部外周には、外周面にフライラインの性質、重さ等を表示してある熱収縮性チューブを被着するようにしたことを特徴とするフライフィッシング用釣り糸の接続方法。
【請求項５】
フライフィッシングの釣り糸の接続方法であって、編み糸から成る中空のブレイデッドラインの両端部内側に、フライラインとリーダーの先端部を夫々所要深さ挿入し、前記ブレイデッドラインの挿着部外周には、外周面にフライライン及び／又はリーダーの性質、重さ等を表示してある熱収縮性チューブを被着するようにしたことを特徴とするフライフィッシング用釣り糸の接続方法。
【請求項６】
前記熱収縮性チューブの外周には、透明の熱収縮性を有する保護チューブを被着してなる請求項４又は５記載のフライフィッシング用釣り糸の接続方法。
【発明の詳細な説明】
【技術分野】
【０００１】
本発明は、フライフィッシング用の釣り糸、及びその接続方法に関するものである。
【背景技術】
【０００２】
従来、フライフィッシングに使用される釣り糸は、一般的に、一端をリールに結着する編み糸からなるバッキングラインと、このバッキングラインに接続する、編み糸の周りをＰＶＣ(ポリ塩化ビニール)でコーティングしたフライラインと、このフライラインと接続され、他端にフライを結束したリーダーとからなっている。
而して、「フライライン」は、一般的に、形状により、WF（ウェイトフォワード）、DT(ダブルテーパー)、ST（シューティングテーパー）に区分され、材質により、水に浮くフローティングタイプ(F)、水に沈むシンキングタイプ(S)、及びその中間のインターミディエットタイプ(I)に区分されている。更に、重さにより、通常1〜12の番号が順次付されている。前記シンキングタイプは、沈む速さにより、1〜7の段階に区分されている。前記インターミディエットタイプは更に、スロー(S)、ファースト（F）に区分されている。
また、「リーダー」は、一般的に、重さに応じて、０X〜８Xに区分されており、狙う魚や釣り方によって使い分けるようにしている。
【０００３】
また、フライラインとリーダー、フライラインとフライライン等の釣り糸の接続方法としては、一般的に、フライラインの先端にブレイデッドループと呼ばれる環状のループを取付けて、これにリーダー又はフライラインの末端に設けられたループを通して接続している。
【発明の開示】
【発明が解決しようとする課題】
【０００４】
現在、各種のフライライン、リーダー等の釣り糸が販売されており、釣り人は、いろいろな種類の釣り糸を現場に持参し、釣りの状況に最も適するものに使用するようにしている。たとえば、ドライフライを使うときにはフローティングタイプのフライライン、ウェットフライを使うときにはシンキングタイプのフライラインといったように、現場で釣りの状況に応じて使い分けるようにしている。
しかし、釣り糸に直接表示がされていないため、持参した物がそれぞれどのような材質、重さのものなのか分からなくなる難点があった。
【０００５】
また、従来のループを用いた釣り糸の接続方法では、接続された釣り糸が夫々どのような特性を持つものであるか直ぐに分からなかったために、釣りを円滑に行うことができない難点があった。
【０００６】
本発明は、上記従来の難点に鑑み、リーダー、フライライン等の釣り糸の性質、重さ等を容易に識別できて、釣り場での取替えを速やかに行うことができるようにした釣り糸と、フライラインにリーダー又はフライラインを確実に接続できるようにし、且つ互いに接続された釣り糸の性質等を容易に識別できるようにした、釣り糸の接続方法を提供しようとするものである。
【課題を解決するための手段】
【０００７】
上記目的を達成するために、本発明に係る釣り糸は、フライライン、リーダー等の釣り糸の先端部外周に、柔軟性を有する熱収縮性チューブを挿着すると共に、前記熱収縮性チューブの外周面には、フライライン、リーダー等の釣り糸の性質、重さ等を表記してある。
また、フライライン、リーダー等の釣り糸の先端部にループを形成し、該ループの基部には柔軟性を有する熱収縮性チューブを挿着すると共に、前記熱収縮性チューブの外周面には、フライライン、リーダー等の釣り糸の性質、重さ等を表記する場合もある。更に、前記熱収縮性チューブの挿着部外周には、透明の熱収縮性を有する保護チューブを被着する場合もある。
【０００８】
また、本発明におけるフライフィッシングの釣り糸の接続方法は、編み糸から成る中空のブレイデッドラインの両端部内側に、一対のフライラインの先端部を夫々所要深さ挿着すると共に、前記ブレイデッドラインの挿着部外周には、外周面にフライラインの性質、重さ等を表示してある熱収縮性チューブを被着するようにしてある。
また、編み糸から成る中空のブレイデッドラインの両端部内側に、フライラインとリーダーの先端部を夫々所要深さ挿入し、前記ブレイデッドラインの挿着部外周には、外周面にフライライン及び／又はリーダーの性質、重さ等を表示してある熱収縮性チューブを被着するようにしてある。なお、前記熱収縮性チューブの外周には、透明の熱収縮性を有する保護チューブを被着する場合もある。
【発明の効果】
【０００９】
本発明によれば、リーダー、フライライン等の釣り糸の性質、重さ等を容易に識別できるので、現場での状況に応じて、釣り糸の取替えを速やかに行うことができる。
【００１０】
また、フライラインにリーダー又はフライラインを確実に接続できると共に、互いに接続された釣り糸の形状、性質等を容易に識別することができる。而して、その接続部に起こり得る水による抵抗を極めて小さく出来る利点もある。
【実施例１】
【００１１】
添付した図面に従って、本発明の実施例を説明する。
図１及び図２において、１はフライライン、２は白色の熱収縮性チューブを示し、その外周面には、黒色で、フライラインの形状、重さ、性質などを記号、数字などで直接表記４してある。たとえば、「WF５F」と表記しておけば、形状がウェイトフォワードで、フローティングタイプであり、重さが5番のものであることを示し、「DT２S2」と表記しておけば、形状がダブルテーパーで、シンキングタイプであり、重さが２番のものであることを示している。３は透明で熱収縮性を有する保護チューブである。
【００１２】
而して、上記フライライン１の先端部に熱収縮チューブ２を挿通して、該チューブ２を外側から加熱し収縮させると、チューブ２はフライライン１に圧着する。更に、前記チューブ２の外側に、透明の保護チューブ３を被せたのち、外側から加熱し収縮させると、チューブ２が外側から強く圧着されるので、チューブ２の内側表面の圧力が増し、フライライン１とチューブ２との結着力が著しく増大する。
而して、フライライン１の性質等を表記したチューブ２の表記部５を外から容易に見ることができる。即ち、フライライン１の径が小さいので、文字、記号などを直接表記できないが、チューブ２の表面には容易に記載することができ、加熱収縮後も文字、記号を正確に視認できる。また、保護チューブ３を被せてあるので、長期間使用しても表記部４が消えることがない。
【００１３】
なお、上記実施例では、フライライン１の性質などをチューブ２の表面に直接表記するようにしたが、該チューブの表面に、フライラインの性質などを印刷したシールを貼るようにしても良い。
また、内側の熱収縮チューブ２を白色で形成し、その表面にフライライン１の性質などを黒色で表記するようにしたが、表記された数字、記号などが視認することができるならば、チューブ２の色及び表記する色を他の色に変えても良い。
【実施例２】
【００１４】
添付した図面に従って、本発明の実施例を説明する。
本実施例は、フライラインの先端部にリーダーを接続するためのブレイデッドループを形成した場合である。
図３及び図４において、５はフライライン、６は白色の熱収縮性チューブを示し、その外周面には、黒色で、フライラインの形状、重さ、性質などを記号、数字などで直接表記１０してある。７は透明で熱収縮性を有する保護チューブである。
【００１５】
而して、前記フライライン５の先端部を熱収縮チューブ６内に挿通し、その他端側より所要幅引き出し、折り返して再び先端部をチューブ６内に挿通することにより、チューブ６の先端部にフライライン５のループ８を形成する。
そして、チューブ６を外側から加熱し収縮させると、チューブ６はループ８の基部９に圧着する。更に、前記チューブ６の外側に、透明の保護チューブ７を被せたのち、外側から加熱し収縮させると、チューブ６が外側から強く圧着されるので、チューブ６の内側表面の圧力が増し、フライライン５のループ基部９とチューブ６との結着力が著しく増大する。
従って、フライライライン５の端部に強靭なループ部８が形成されると共に、フライライン５の性質等を表記したチューブ６の表記部１０を外から容易に見ることができる。また、保護チューブ７を被せてあるので長期間使用しても表記部１０が消えることがない。
【００１６】
なお、本実施例では上記実施例１と同様に、フライライン５の性質などをチューブ６の表面に直接表記するようにしたが、該チューブ６の表面に、フライライン５の性質などを印刷したシールを貼るようにしても良い。
また、内側の熱収縮チューブ６を白色で形成し、その表面にフライライン５の性質などを黒色で表記するようにしたが、表記された数字、記号などが視認することができるならば、チューブ６の色及び表記する色を他の色に変えても良い。
【実施例３】
【００１７】
本実施例は、フライラインとリーダーとをブレイデッドラインを使用して接続する場合である。
図５乃至図６において、１１は編み糸で中空に形成したブレイデッドライン、１２はフライライン、１３はリーダーを示す。
而して、上記ブレイデッドライン１１に略同長の白色の熱収縮チューブ１４を被せておき、ブレイデッドライン１１の両端部から、フライライン１２及びリーダー１３の各先端部を夫々ブレイデッドライン１１の略中央部まで挿入する。なお、前記チューブ１３の外周面には、黒色で、フライライン１２及びリーダー１３の重さ、性質などを記号、数字などで直接表記１６してある。
而して、前記チューブ１４を外側から加熱収縮させると、チューブ１４はブレイデッドライン１１に圧着する。更に、チューブ１３の外側に、透明の保護チューブ１５を被せたのち、外側から加熱し収縮させると、ブレイデッドライン１１が外側から強く圧着されるので、ブレイデッドライン１１の内側表面の圧力が増し、ブレイデッドライン１１とフライライン１２、リーダー１３との結着力が著しく増大する。
従って、フライライン１２とリーダー１３とを確実且つ容易に接続することができると共に、フライライン１２及びリーダー１３の性質等を容易に識別することができる。即ち、フライライン１２及びリーダー１３の径は共に小さいので、文字、記号などを直接表記できないが、チューブ１４の表面には容易に記載することができ、加熱収縮後も文字、記号を正確に視認できる。また、保護チューブ１５を被せてあるので、長期間使用しても表記部１６が消えることがない。
【００１８】
本実施例においては、フライライン１２とリーダー１３を接続する場合であるが、フライライン１２同士を接続することができる。その場合でも、チューブ１４の外周面には各フライライン１２の性質等を夫々表記しておけば、どのようなライン１２同士を接続したかが容易に分かる。
而して、フローティングタイプのフライラインとシンキングタイプのフライラインを接続すれば、シンクティップライン(ラインの先端部のみが沈み、根元側は浮く)を容易に製作することができる。
【図面の簡単な説明】
【００１９】
【図１】フライラインの先端部の斜視図である。
【図２】同上断面図である。
【図３】フライラインの先端部の斜視図である。
【図４】同上断面図である。
【図５】フライラインとリーダーとの接続部の斜視図である。
【図６】同上断面図である。
【符号の説明】
【００２０】
１    フライライン
２    熱収縮性チューブ
３    保護チューブ
４    表記部
５    フライライン
６    熱収縮チューブ
７    保護チューブ
８    ループ
９    表記部
１０  ループ基部
１１  ブレイデッドライン
１２  フライライン
１３  リーダー
１４  熱収縮チューブ
１５  保護チューブ
１６  表記部
【図１】
2006325439.tif 000003
【図２】
2006325439.tif 000004
【図３】
2006325439.tif 000005
【図４】
2006325439.tif 000006
【図５】
2006325439.tif 000007
【図６】
2006325439.tif 000008